(57)【要約】      （修正有）【課題】病院などの医療機関において使用者に傷付けるおそれのない安全な認識用ベルトを提供する。【解決手段】認識用ベルト１０を使用者の手首や足首などの装着部位に装着する締結具２０であり、雄側係合部２１と、雌側係合部２２と、両端で両係合部２１，２２を連結する連結部２３と、連結部２３に一体に形成された把持部２４ａ，２４ｂとを備え、連結部２３両端の両係合部２１，２２との連接部分が両係合部２１，２２の基部２１ａ，２２ａそれぞれに形成された凹部にて連接され、把持部２４ａ，２４ｂを把持して引っ張ることにより連接部分が破断可能に形成されている。【選択図】図２
2008164654.tif 000002
【特許請求の範囲】
【請求項１】
複数個の透孔が形成された帯状のベルト本体と、端部が前記ベルト本体に一体に形成され所定の情報が表示される情報表示部とを備えた認識用ベルトを、使用者の手首や足首などの装着部位に装着するための認識用ベルトの締結具において、
雄側係合部と、該雄側係合部が係合する雌側係合部と、両端で前記両係合部を連結する連結部と、前記連結部に一体に形成された把持部とを備え、
前記連結部の両端であって前記両係合部と連接する部分が、前記把持部を把持して引っ張ることにより破断可能に形成されている
ことを特徴とする認識用ベルトの締結具。
【請求項２】
前記認識用ベルトの前記表示部の他端側には締結孔が形成され、
前記雄側係合部が、円板状の基部と、該基部の中央部に一体に形成された係合突部とを備えると共に、前記雌側係合部が、円板状の基部と、該基部の中央部に一体に形成され前記係合突部が抜脱不能に嵌挿する係合孔とを備え、
前記認識用ベルトが、使用者の装着部位に輪状に巻回され脱離しないように長さ調整されて前記締結孔といずれかの透孔とが重合され、重合状態の前記締結孔及び透孔に輪状を成す前記認識用ベルトの内方から前記雄側係合部の前記係合突部が挿通されて外方にて前記雌側係合部の前記係合孔に嵌挿された後に、前記把持部が引っ張られることにより前記連結部両端の前記両係合部との連接部分が破断され、前記連結部が前記把持部と共に前記両係合部から分離されることを特徴とする請求項１に記載の認識用ベルトの締結具。
【請求項３】
前記把持部が引っ張られて前記連結部両端の前記両係合部との連接部分が破断される際に、前記連結部両端の前記両係合部との連接部分に引張力が集中するように該連接部分の幅及び厚みが設定されていることを特徴とする請求項１または２に記載の認識用ベルトの締結具。
【請求項４】
前記雄側係合部及び前記雌側係合部に、それぞれの周面の一部が抉られて凹部が形成され、前記両凹部にて前記連結部の両端それぞれが連接されていることを特徴とする請求項１ないし３のいずれかに記載の認識用ベルトの締結具。
【発明の詳細な説明】
【技術分野】
【０００１】
この発明は、病院等の医療機関における患者等の認識に使用される認識用ベルトの締結具に関するものである。
【背景技術】
【０００２】
従来、病院等の医療機関において、手術、投薬、採血、輸血などの際に患者の取り違えを防止するために、患者の氏名、性別や血液型などの情報がバーコードなどにより表示された認識用ベルトを患者の手首や足首に装着することが行われている。また、産院や産科等における新生児の取り違えを防止する目的でも、新生児の氏名、血液型、出生日時、主治医氏名などの情報を認識用ベルトに表示して新生児の足首に装着することも行われている。
【０００３】
この種の認識用ベルトは、例えば図８ないし図１０に示すように構成されていおり、バンド本体１は合成樹脂の射出成形により形成され、一端に薄板状の表示板部２が形成され、この表示板部２の一方にこの表示板部２より細幅の帯部３が連続的に形成され、表示板部２の他方に封緘部４が形成されて成る。ここで、表示板部２と帯部３の周囲には、使用者の腕に損傷防止のために断面が円形の縁部５（縁取り）が形成されている。
【０００４】
この表示板部２は通常は短冊形であって、帯部３には適当な間隔で止め穴３ａが開口され、腕にバンド本体１を回してこの止め穴３ａが封緘部４に係合されて固定されるようになっている。
【０００５】
この封緘部４は、図９、図１０に示すようにホック状ないしハトメ状のオス係合部６とメス係合部７と連結部８で折り畳んで係合するように構成されており、オス係合部６には、薄板部６ａの中央部に係合突起６ｂが突出され、薄板部６ａの周囲に円弧状のスリット６ｃが環状に配置され、このスリット６ｃの先端部同士を細幅の連結部６ｄが形成されて薄板部６ａを簡単に外すことができるようになっている。なお、係合突起６ｂは、図１０に示すように円柱部６ｆの上端に円板状あるいは一文字状の係止縁６ｇが形成されている。
【０００６】
一方、メス係合部７には円弧状のスリット７ａと連結部７ｂを環状に配置した薄板部７ｃの中央部を円形に盛り上げて肉厚部が形成され、この肉厚部の中央に係合穴７ｄが開口され、この係合穴７ｄには、前記係止縁６ｇを案内するための円錐状の案内面７ｅと、この案内面７ｅの裏側に止め面７ｆとが形成され、係合突起６ｂがこの係合穴７ｄ内に嵌入した場合に、図１０に示すようにオス係合部６の係合突起６ｂの係止縁６ｇが止め面７ｆに確実に噛合されて封緘状態になるように構成されている（特許文献１参照）。
【０００７】
ところで、図８に示す封緘部４はベルト本体１に一体化されているが、オス係合部６とメス係合部７とこれらを連結する連結部８とが、ベルト本体１とは別体の締結具として構成され、ベルト本体１を手首などに巻回した状態で別体の締結具を装着し、オス係合部６の係合突起６ｂの係止縁６ｇを止め面７ｆに確実に噛合させて封緘状態に締結するようにしたものも考えられている。
【０００８】
【特許文献１】特開２００２−８２６１８号公報（段落[００２５]〜[００３４]、図１〜図６）
【発明の開示】
【発明が解決しようとする課題】
【０００９】
上記した特許文献１に記載のベルトの封緘部４や、ベルト本体１と別体に形成された前記締結具の場合、封緘状態ではオス係合部６とを連結する連結部８が、図１０に示すように突出しているため、この連結部８の端面が使用者の皮膚に擦れて傷付けるおそれがある。特に、新生児の場合、足首に認識用ベルトを装着していると、新生児が無意識に両足を激しく動かしたときに、大人に比べて新生児の皮膚は柔らかいため、連結部８部分により新生児の足が容易に傷付いてしまうという問題があった。
【００１０】
本発明は上記課題に鑑みなされたものであり、病院などの医療機関において使用者に傷付けるおそれのない安全な認識用ベルトの提供を可能にすることを目的とする。
【課題を解決するための手段】
【００１１】
上記した目的を達成するために、本発明における認識用ベルトの締結具は、複数個の透孔が形成された帯状のベルト本体と、端部が前記ベルト本体に一体に形成され所定の情報が表示される情報表示部とを備えた認識用ベルトを、使用者の手首や足首などの装着部位に装着するための認識用ベルトの締結具において、雄側係合部と、該雄側係合部が係合する雌側係合部と、両端で前記両係合部を連結する連結部と、前記連結部に一体に形成された把持部とを備え、前記連結部の両端であって前記両係合部と連接する部分が、前記把持部を把持して引っ張ることにより破断可能に形成されていることを特徴としている（請求項１）。
【００１２】
また、本発明における認識用ベルトの締結具は、前記認識用ベルトの前記表示部の他端側には締結孔が形成され、前記雄側係合部が、円板状の基部と、該基部の中央部に一体に形成された係合突部とを備えると共に、前記雌側係合部が、円板状の基部と、該基部の中央部に形成され前記係合突部が抜脱不能に嵌挿する係合孔とを備え、前記認識用ベルトが、使用者の装着部位に輪状に巻回され脱離しないように長さ調整されて前記締結孔といずれかの透孔とが重合され、重合状態の前記締結孔及び透孔に輪状を成す前記認識用ベルトの内方から前記雄側係合部の前記係合突部が挿通されて外方にて前記雌側係合部の前記係合孔に嵌挿された後に、前記把持部が引っ張られることにより前記連結部両端の前記両係合部との連接部分が破断され、前記連結部が前記把持部と共に前記両係合部から分離されることを特徴としている（請求項２）。
【００１３】
また、本発明における認識用ベルトの締結具は、前記把持部が引っ張られて前記連結部両端の前記両係合部との連接部分が破断される際に、前記連結部両端の前記両係合部との連接部分に引張力が集中するように該連接部分の幅及び厚みが設定されていることを特徴としている（請求項３）。
【００１４】
また、本発明における認識用ベルトの締結具は、前記雄側係合部及び前記雌側係合部に、それぞれの周面の一部が抉られて凹部が形成され、前記両凹部にて前記連結部の両端それぞれが連接されていることを特徴としている（請求項４）。
【発明の効果】
【００１５】
請求項１の発明によれば、把持部を把持して引っ張ると連結部両端の両係合部と連接する部分が破断するため、雄側係合部と雌側係合部を係合した後に、把持部を引っ張って連結部両端の連接部分を破断すると、従来の連結部ような突出箇所がなくなり、使用者の皮膚が擦れて傷付けることなく、皮膚の柔らかい新生児に対しても傷付けることもなく安心して使用することができ、良好な認識用ベルトを提供することができる。
【００１６】
請求項２の発明によれば、使用者の装着部位に輪状に巻回され脱離しないように長さ調整されて前記締結孔といずれかの透孔とが重畳され、重合状態の前記締結孔及び透孔に輪状を成す認識用ベルトの内方から雄側係合部の前記係合突部が挿通されて外方にて雌側係合部の係合孔に嵌挿された後に、把持部が引っ張られることにより連結部両端の両係合部との連接部分が破断されるため、従来の連結部ような突出箇所がなくなり、上記した請求項１の発明と同様、使用者の皮膚が擦れて傷付けることなく、新生児に対しても安心して使用することができる。
【００１７】
請求項３の発明によれば、把持部が引っ張られて破断される際に、連結部両端の連接部分に引張力が集中するため、連結部を簡単に破断して除去することができる。
【００１８】
請求項４の発明によれば、両凹部にて連結部の両端それぞれが雄側係合部及び雌側係合部に連接されているため、把持部が引っ張られて破断したときに、いわゆる“ばり”が残存することなく連結部を除去することができ、使用者の皮膚を傷付けるおそれを確実に排除することができ、良好な認識用ベルトを提供することが可能になる。
【発明を実施するための最良の形態】
【００１９】
本発明の一実施形態について図１ないし図６を参照して説明する。なお、図１は認識用ベルトの平面図、図２は認識用ベルト及び締結具の斜視図、図３は締結具の平面図、図４（ａ）、（ｂ）はそれぞれ締結具の正面図、切断正面図、図５、６は図３中の１点鎖線の丸印部分の拡大図であり、図５は締結具の一部の拡大平面図、図６は締結具の一部の拡大正面図である。
【００２０】
図１、図２に示すように、本実施形態における認識用ベルト１０は、例えば病院で入院患者や新生児に装着されるもので、複数個の円形の透孔１１が形成された帯状のベルト本体１２と、一端部側がこのベルト本体１２に一体に形成され入院患者や新生児などの使用者（被装着者）に関する所定の情報が表示されるベルト本体１２よりも幅広の情報表示部１３と、情報表示部１３の他端部側に一体に形成され締結孔１４が透設された締結部１５と、締結孔１４に重合される締結孔１６が形成された固定用折り返し部１７とを備えている。
【００２１】
この情報表示部１３には、入院患者や新生児の属性、及び、患者や新生児の性別、氏名、血液型、識別（ＩＤ）番号などが記録される。この記録面には、これらのデータが記載された貼付部材が貼り付けられていてもよい。このとき、情報の表示には、水濡れなどを考慮すると、油性のペンまたはインキを用いるのが好ましく、ペンで手書きしてもよいし、コンピュータと連動させて印刷してもよい。更に、文字、記号、バーコードなど、情報の表現手段は特に限定されるものではなく、例えばバーコ−ドで記載された患者・新生児情報は、バーコードリーダーで読み取られて確認されることとなる。なお、図２に示されている情報表示部１３の反対面側（図２中の破線部分）に所定の情報が表示されることとなる。
【００２２】
また、認識用ベルト１０に型押しして表示するようにしてもよく、あるいは、認識用ベルト１０に、所定の情報が記録された半導体チップを埋め込み、読取機によりチップの記録情報を読み取るようにしてもよい。
【００２３】
更に、情報表現の手段として、種々の色の認識用ベルト１０を準備し、目的に応じた色の認識用ベルト１０を各患者や各新生児に使用するようにしてもよい。例えば、血液型別に色分けすると、輸血時などに血液型を誤認することを予防できる。また、血液型が未決定の場合は、別の色のものを使用すればよい。
【００２４】
なお、認識用ベルト１０は、使用者（被装着者）の体格および装着部位に合わせて、乳児用、小児用、成人用など、その長さおよび幅が異なるものを準備しておけばよく、好ましくは、認識用ベルト１０を手首や足首などの装着部位に巻回した際に、認識用ベルト１０が簡単に抜け落ちない程度の長さのものを選択するのがよい。また、認識用ベルト１０の幅は、使用者（被装着者）についての情報を記録でき、そして手、腕、足などを動かして邪魔にならない程度の幅に設定するのが好ましい。
【００２５】
ところで、このような認識用ベルト１０は、例えば厚さ０．２ｍｍのポリウレタン樹脂フィルムシートＤＵＳ４３３（日本ミラクトン（株）製）を用いて、装着時に外側になる方に着色シートを内側になる方に無着色シートをおき、２枚重ねたまま、図１に示すような型に打抜き加工するのが好ましい。ただし、取扱いの観点から、この場合における加工は、完全には打抜かずに認識用ベルト１０と他の不要部分とがまだつながっていて手で切り離して剥離することができるような加工とし、この加工を縦方向に連続的に行ってロール状にし、使用直前にロールから１本ずつ認識用ベルト１０を剥離して取り出すようにしておくのがよい。
【００２６】
次に、締結具について図２ないし図６を参照して説明する。締結具２０は、図３，４に示すように、雄側係合部２１と、この雄側係合部２１が係合する雌側係合部２２と、両端で両係合部２１，２２を連結する連結部２３と、連結部２３に一体に形成された一対の把持部２４ａ，２４ｂとを備えて成り、これら各部はポリエチレン樹脂或いはポリプロピレン樹脂の射出成形加工により形成される。
【００２７】
そして、雄側係合部２１は、円板状の基部２１ａと、この基部２１ａ上面側の中央部に一体に形成された係合突部２１ｂとを備えている。ここで、係合突部２１ｂは、円柱２１ｂ１と、この円柱２１ｂ１の先端に一体形成された円錐台２１ｂ２と、この円錐台２１ｂ２の先端に円錐台２１ｂ２の先端よりも径大に一体形成された短円柱２１ｂ３とを備えている。
【００２８】
一方、雌側係合部２２は、円板状の基部２２ａと、この基部２２ａの上面側中央部に形成され係合突部２１ｂが抜脱不能に嵌挿する係合孔２２ｂとを備えている。ここで、係合孔２２ｂは、上面側より下向きつまり下側ほど径小となるように円錐台状の第１孔２２ｂ１が形成されると共に、第１孔２２ｂの中ほどから基部２２ａの下面にかけてほぼ第１孔２２ｂ１よりの径大の円柱状の第２孔２２ｂ２が形成され、第１孔２２ｂ１と第２孔２２ｂ２との間には複数のテーパ状の係合爪２２ｂ３が形成されて成り、連結部２３の中央部で折り返された雄側係合部２１の係合突部２１ｂが、このような係合孔２２ｂに嵌挿することで係合突部２１ｂの円錐台２１ｂ２先端の短円柱２１ｂ３が係合爪２２ｂ３に係合して抜脱不能に係合されるのである。
【００２９】
なお、このとき認識用ベルト１０が、使用者（被装着者）の装着部位に輪状に巻回され脱離しないように長さ調整されて、締結孔１４といずれかの透孔１１とが重合され、重合状態の締結孔１４及び透孔１１に更に固定用折り返し部１７が折り返されてその締結孔１６が重合され、輪状を成す認識用ベルト１０の内方から雄側係合部２１の係合突部２１ｂが各孔１６，１１，１４に挿通されて外方にて雌側係合部２２の係合孔２２ｂに嵌挿され、係合突部２１ｂが上記したように抜脱不能に係合され、いわゆる地獄止めの状態となる。
【００３０】
ところで、本実施形態における把持部２４ａ，２４ｂは、図３に示すように、矩形部の先端にほぼ円形部が形成されて成り、両把持部２４ａ，２４ｂは連結部２３に左右対称な位置に一体形成されている。
【００３１】
また、図３、図４に示すように、雄側係合部２１の基部２１ａ及び雌側係合部２２の基部２２ａそれぞれの円形を成す周面には、その一部が抉られて凹部２５，２６が形成され、両凹部２５，２６にて連結部２３両端の両係合部２１，２２との連接部分２３ａ，２３ｂがそれぞれ一体形成されて連接されている。なお、図３中の２８は射出成形の際に樹脂を注入するゲートを示す。
【００３２】
更に、連結部２３は、図５，６に示すように、雌側係合部２２の係合孔２２ｂに雄側係合部２１の係合突部２１ｂが係合された後に把持部２４ａ，２４ｂが把持されて引っ張られたときに、連結部２３両端における雄側係合部２１及び雌側係合部２２それぞれとのほぼ三角形状の連接部分２３ａ，２３ｂに引張力が集中してこの連接部分２３ａ，２３ｂが容易に破断するように、連結部２３両端の両係合部２１，２２との連接部分２３ａ，２３ｂの幅及び厚みが連結部２３の他の部位よりも小さく設定されている。一例として、両係合部２１，２２の基部２１ａ，２２ａの径を約１１ｍｍ、厚みを約２ｍｍとし、連結部２３の幅を約１．５ｍｍ、厚みを約０．６ｍｍとすると、図５、図６に示すように、連結部２３両端の両係合部２１，２２との連接部分２３ａ，２３ｂの幅は約０．３ｍｍ、厚みは約０．４ｍｍとするのが望ましい。
【００３３】
そして、上記したように、認識用ベルト１０が、使用者（被装着者）の装着部位に輪状に巻回され脱離しないように長さ調整されて、締結孔１４といずれかの透孔１１とが重合され、重合状態の締結孔１４及び透孔１１に更に固定用折り返し部１７が折り返されてその締結孔１６が重合され、輪状を成す認識用ベルト１０の内方から雄側係合部２１の係合突部２１ｂが各孔１６，１１，１４に挿通されて外方にて雌側係合部２２の係合孔２２ｂに嵌挿され、係合突部２１ｂが上記したように抜脱不能に係合された後に、把持部２４ａ，２４ｂが把持されて引っ張られると、連結部２３両端の連接部分２３ａ，２３ｂに引張力が集中してこの連接部分２３ａ，２３ｂが破断し、把持部２４１，２４ｂと一緒に連結部２３が両係合部２１，２２から除去される。
【００３４】
このとき、連結部２３両端の両係合部２１，２２との連接部分２３ａ，２３ｂは、両係合部２１，２２の基部２１ａ，２２ａそれぞれの周面が抉られて形成された凹部２５，２６にてそれぞれ連接されているため、把持部２４ａ，２４ｂと一緒に連結部２３が除去された後は、両係合部２１，２２の基部２１ａ，２２ａからいわゆる“ばり”が突出したりその他の箇所が突出することもなく、従来の連結部のような突出箇所で使用者（被装着者）の皮膚が擦れて傷付けることを防止できる。
【００３５】
従って、上記した実施形態によれば、病院の入院患者や新生児などの使用者（被装着者）の手首や足首など所定の装着部位に、認識用ベルと１０が輪状に巻回され脱離しないように長さ調整されて締結孔１４といずれかの透孔１１とが重合され、重合状態の締結孔１４及び透孔１１に更に固定用折り返し部１７が折り返されてその締結孔１６が重合され、輪状を成す認識用ベルト１０の内方から雄側係合部２１の係合突部２１ｂが各孔１６，１１，１４に挿通されて外方にて雌側係合部２２の係合孔２２ｂに嵌挿され、係合突部２１ｂが上記したように抜脱不能に係合された後に、把持部２４ａ，２４ｂが把持されて引っ張られることにより連結部２３両端の両係合部２１，２２との連接部分２３ａ，２３ｂが破断されるため、従来の連結部ような突出箇所がなくなって使用者（被装着者）の皮膚が擦れて傷付けることが全くなく、皮膚の柔らかな新生児に対しても安心して使用することができる。
【００３６】
また、把持部２４ａ，２４ｂが把持され引っ張られて破断される際に、連結部２３両端の連接部分２３ａ，２３ｂに引張力が集中するように構成したため、連結部２３を把持部２４ａ，２４ｂと共に簡単に破断して除去することができる。
【００３７】
更に、両凹部２５，２６にて連結部２１両端の連接部分２３ａ，２３ｂそれぞれが両係合部２１，２２に連接されているため、把持部２４ａ，２４ｂを引っ張って連結部２３を破断除去したときに、いわゆる“ばり”が残存することがなく、使用者（被装着者）の皮膚を傷付けるおそれを確実に排除することができ、安全な認識用ベルト１０を提供することが可能になる。
【００３８】
なお、本発明は上記した実施形態に限定されるものではなく、その趣旨を逸脱しない限りにおいて上述したもの以外に種々の変更を行うことが可能である。
【００３９】
例えば、他の実施形態として、図７に示すように、把持部として、雌側係合部２２に近い把持部２４ｂのみとしてもよい。このとき、雄側係合部２１に近い把持部２４ａとしてもよいのは勿論である。
【００４０】
また、連結部２３両端の両係合部２１，２２との連接部分２３ａ，２３ｂの幅及び厚みは、上記した数値に限定されるものではなく、要するに雌側係合部２２の係合孔２２ｂに雄側係合部２１の係合突部２１ｂが係合された後に把持部２４ａ，２４ｂが引っ張られたときに容易に破断するような値に設定されていればよい。
【００４１】
更に、認識用ベルト１０及び両係合部２１，２２の材質も上記したものに限定されるものでないのはいうまでもない。
【図面の簡単な説明】
【００４２】
【図１】本発明の一実施形態における認識用ベルトの平面図である。
【図２】本発明の一実施形態における認識用ベルト及び締結具の斜視図である。
【図３】本発明の一実施形態における締結具の平面図である。
【図４】本発明の一実施形態における締結具を示し、（ａ）は正面図、（ｂ）は切断正面図である。
【図５】本発明の一実施形態における締結具の一部の拡大平面図である。
【図６】本発明の一実施形態における締結具の一部の拡大正面図である。
【図７】本発明の他の実施形態における締結具の平面図である。
【図８】従来例の平面図である。
【図９】従来例の一部の拡大図ある。
【図１０】従来例の一部の断面図である。
【符号の説明】
【００４３】
１０……認識用ベルト
１１……透孔
１２……ベルト本体
１３……情報表示部
１４……締結孔
２０……締結具
２１……雄側係合部
２１ａ…基部
２１ｂ…係合突部
２２……雌側係合部
２２ａ…基部
２２ｂ…係合孔
２３……連結部
２３ａ，２３ｂ…連接部分
２４ａ，２４ｂ…把持部
２５，２６…凹部
【図１】
2008164654.tif 000003
【図２】
2008164654.tif 000004
【図３】
2008164654.tif 000005
【図４】
2008164654.tif 000006
【図５】
2008164654.tif 000007
【図６】
2008164654.tif 000008
【図７】
2008164654.tif 000009
【図８】
2008164654.tif 000010
【図９】
2008164654.tif 000011
【図１０】
2008164654.tif 000012
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
ベルト本体に所定の情報が表示される情報表示部が一体に形成されて成る認識用ベルトを、使用者の手首や足首などの装着部位に取り付けるための認識用ベルトの締結具において、
雄側係合部と、該雄側係合部が係合する雌側係合部と、前記雄側係合部及び前記雌側係合部に、それぞれの周面の一部が抉られて形成された凹部と、前記両凹部それぞれにて両端で前記両係合部を連結する連結部と、前記連結部に一体に形成された把持部とを備え、
前記雄側係合部を前記雌側係合部に係合した状態で前記把持部を把持して引っ張るときの引張力が、前記連結部の両端であって前記両係合部と連接する連接部分に集中して破断するように、前記連接部分の幅及び厚みが、前記連結部の前記連接部分を除く部分の幅及び厚みよりもそれぞれ小さく形成されていることを特徴とする認識用ベルトの締結具。
【請求項２】
前記認識用ベルトの前記ベルト本体には複数個の透孔が形成され、かつ前記認識用ベルトの前記表示部の他端側には締結孔が形成され、
前記雄側係合部が、円板状の基部と、該基部の中央部に一体に形成された係合突部とを備えると共に、前記雌側係合部が、円板状の基部と、該基部の中央部に一体に形成され前記係合突部が抜脱不能に嵌挿する係合孔とを備え、
前記認識用ベルトが、使用者の装着部位に輪状に巻回され脱離しないように長さ調整されて前記締結孔といずれかの前記透孔とが重合され、重合状態の前記締結孔及び透孔に輪状を成す前記認識用ベルトの内方から前記雄側係合部の前記係合突部が挿通されて外方にて前記雌側係合部の前記係合孔に嵌挿された後に、前記把持部が引っ張られることにより前記連結部が前記連接部分で破断されることを特徴とする請求項１に記載の認識用ベルトの締結具。
【手続補正２】
【補正対象書類名】明細書
【補正対象項目名】００１１
【補正方法】変更
【補正の内容】
【００１１】
上記した目的を達成するために、本発明における認識用ベルトの締結具は、ベルト本体に所定の情報が表示される情報表示部が一体に形成されて成る認識用ベルトを、使用者の手首や足首などの装着部位に取り付けるための認識用ベルトの締結具において、雄側係合部と、該雄側係合部が係合する雌側係合部と、前記雄側係合部及び前記雌側係合部に、それぞれの周面の一部が抉られて形成された凹部と、前記両凹部それぞれにて両端で前記両係合部を連結する連結部と、前記連結部に一体に形成された把持部とを備え、前記雄側係合部を前記雌側係合部に係合した状態で前記把持部を把持して引っ張るときの引張力が、前記連結部の両端であって前記両係合部と連接する連接部分に集中して破断するように、前記連接部分の幅及び厚みが、前記連結部の前記連接部分を除く部分の幅及び厚みよりもそれぞれ小さく形成されていることを特徴としている（請求項１）。
【手続補正３】
【補正対象書類名】明細書
【補正対象項目名】００１２
【補正方法】変更
【補正の内容】
【００１２】
また、本発明における認識用ベルトの締結具は、前記認識用ベルトの前記ベルト本体には複数個の透孔が形成され、かつ前記認識用ベルトの前記表示部の他端側には締結孔が形成され、前記雄側係合部が、円板状の基部と、該基部の中央部に一体に形成された係合突部とを備えると共に、前記雌側係合部が、円板状の基部と、該基部の中央部に一体に形成され前記係合突部が抜脱不能に嵌挿する係合孔とを備え、前記認識用ベルトが、使用者の装着部位に輪状に巻回され脱離しないように長さ調整されて前記締結孔といずれかの前記透孔とが重合され、重合状態の前記締結孔及び透孔に輪状を成す前記認識用ベルトの内方から前記雄側係合部の前記係合突部が挿通されて外方にて前記雌側係合部の前記係合孔に嵌挿された後に、前記把持部が引っ張られることにより前記連結部が前記連接部分で破断されることを特徴としている（請求項２）。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
請求項１の発明によれば、両凹部にて連結部の両端それぞれが雄側係合部及び雌側係合部に連接され、当該連接部分の幅及び厚みが、連結部の連接部分を除く部分の幅及び厚みよりもそれぞれ小さく形成されていることから、雄側係合部と雌側係合部を係合した後に把持部を引っ張ると、両凹部内の連接部分に引張力が集中して破断し、連結部が両係合部から簡単に分離して除去されるため、把持部が引っ張られて破断したときに、いわゆる“ばり”が凹部よりも突出して残存することなく連結部を除去することができ、従来の連結部のような突出箇所や“ばり”によって使用者の皮膚が擦れて傷付けることもなく、皮膚の柔らかい新生児に対しても傷付けることもなく安心して使用することができ、良好な認識用ベルトを提供することができる。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】